(57)【要約】【課題】  矩形の天板と天板の後縁から垂下する後スカートとを有する浴室カウンターの浴室側壁パネルへの取り付け構造であって、浴室カウンターの天板と浴室側壁パネルとの間の隙間の発生を従来に比べて抑制できる浴室カウンター取り付け構造を提供する。【解決手段】  平面視矩形の天板と天板の後縁から垂下する後スカートとを有する浴室カウンターの浴室側壁パネルへの取り付け構造であって、浴室側壁パネルに固定した押圧部材が浴室カウンターの後スカートを浴室側壁パネルに押圧し、浴室側壁パネルに固定した支持部材が浴室カウンターの自重を支持すると共に、支持部材が有する押圧部が浴室カウンターの後スカートを浴室側壁パネルに押圧する。【選択図】  図３
2009061218.tif 000002
【特許請求の範囲】
【請求項１】
平面視矩形の天板と天板の後縁から垂下する後スカートとを有する浴室カウンターの浴室側壁パネルへの取り付け構造であって、浴室側壁パネルに固定した押圧部材が浴室カウンターの後スカートを浴室側壁パネルに押圧し、浴室側壁パネルに固定した支持部材が浴室カウンターの自重を支持すると共に、支持部材が有する押圧部が浴室カウンターの後スカートを浴室側壁パネルに押圧することを特徴とする浴室カウンター取り付け構造。
【請求項２】
支持部材は、浴室カウンターの天板下面に当接固定可能な天板載置部と後スカートの前面に当接可能な板バネ部と板バネ部の下方で浴室側壁パネルに当接固定可能な固定部とを有し、固定部を浴室側壁パネルに当接固定した状態で板バネ部が浴室カウンターの後スカートの前面に当接して後スカートを浴室側壁パネルに押圧することを特徴とする請求項１に記載の浴室カウンター取り付け構造。
【請求項３】
板バネ部は、天板載置部よりも下方に且つ上下方向に見て天板載置部の近傍に配設されていることを特徴とする請求項２に記載の浴室カウンター取り付け構造。
【請求項４】
矩形の天板と天板の後縁から垂下する後スカートとを有する浴室カウンターの浴室側壁パネルへの取り付けに使用する浴室カウンター支持部材であって、浴室カウンターの天板下面に当接固定可能な天板載置部と後スカートの前面に当接可能な板バネ部と板バネ部の下方で浴室側壁パネルに当接固定可能な固定部とを有し、固定部を浴室側壁パネルに当接固定した状態で板バネ部が浴室カウンターの後スカートの前面に当接して後スカートを浴室側壁パネルに押圧することを特徴とする浴室カウンター支持部材。
【請求項５】
板バネ部は、天板載置部よりも下方に且つ上下方向に見て天板載置部の近傍に配設されていることを特徴とする請求項４に記載の浴室カウンター支持部材。
【発明の詳細な説明】
【技術分野】
【０００１】
本発明は、浴室カウンターの浴室側壁パネルへの取り付け構造及び浴室カウンターを浴室側壁パネルに取り付ける際に使用する浴室カウンター支持部材に関するものである。
【背景技術】
【０００２】
矩形の天板と天板の後縁から垂下する後スカートとを有する浴室カウンターを浴室側壁パネルに取り付ける際には、特許文献１に開示されているような、天板下面に当接固定可能な天板載置部と浴室側壁パネルに対峙して浴室側壁パネルとの間に後スカートを受け入れる隙間を形成する隙間形成部と隙間形成部の下方で浴室側壁パネルに当接固定可能な固定部とを有する支持部材を一般に複数使用する。
支持部材は浴室カウンターの自重と浴室カウンター上の物品の重量とを支持するが、隙間形成部は単に浴室側壁パネルとの間に後スカートを受け入れる隙間を形成するものに過ぎないので、後スカートと浴室側壁パネルとの間、ひいては天板と浴室側壁パネルとの間に隙間が生ずる場合がある。天板と浴室側壁パネルとの間に隙間が生じると浴室カウンターの美感が低下する。浴室カウンターの美感低下を抑制するために、複数の支持部材とは別個に浴室側壁パネルに固定した複数の押圧部材を用いて浴室カウンターの後スカートを浴室側壁パネルに押圧し、換言すれば剛性の小さな浴室側壁パネルを剛性の大きな浴室カウンターの後スカートへ引き寄せて、浴室カウンターの天板と浴室側壁パネルとの間に隙間ができないようにした浴室カウンター取り付け構造が一般に採用されている。
【特許文献１】特開２００５−２３７５３９号公報
【発明の開示】
【発明が解決しようとする課題】
【０００３】
浴室側壁パネルの両側端部は側壁パネル裏側に配設された柱に固定されており面外方向の変形が規制されているが、浴室側壁パネルの中央部はフリーなので、浴室側壁パネルを貫通してパネル裏側へ延びる湯水配管の重量等により室外側へ変形しがちである。この結果、従来の浴室カウンター取り付け構造では、浴室側壁パネルの二つの押圧部材間で延在する部位が室外側へ変形して浴室カウンターの天板から離れ、浴室カウンターの天板と浴室側壁パネルとの間に隙間ができる場合があった。
本発明は上記問題に鑑みてなされたものであり、矩形の天板と天板の後縁から垂下する後スカートとを有する浴室カウンターの浴室側壁パネルへの取り付け構造であって、浴室カウンターの天板と浴室側壁パネルとの間の隙間の発生を従来に比べて抑制できる浴室カウンター取り付け構造を提供することを目的とする。また本発明は、矩形の天板と天板の後縁から垂下する後スカートとを有する浴室カウンターの浴室側壁パネルへの取り付けに使用する浴室カウンター支持部材であって、浴室カウンターの天板と浴室側壁パネルとの間の隙間の発生を従来に比べて抑制できる浴室カウンター支持部材を提供することを目的とする。
【課題を解決するための手段】
【０００４】
上記課題を解決するために、本発明においては、平面視矩形の天板と天板の後縁から垂下する後スカートとを有する浴室カウンターの浴室側壁パネルへの取り付け構造であって、浴室側壁パネルに固定した押圧部材が浴室カウンターの後スカートを浴室側壁パネルに押圧し、浴室側壁パネルに固定した支持部材が浴室カウンターの自重を支持すると共に、支持部材が有する押圧部が浴室カウンターの後スカートを浴室側壁パネルに押圧することを特徴とする浴室カウンター取り付け構造を提供する。
本発明に係る浴室カウンター取り付け構造においては、押圧部材のみならず支持部材の押圧部も、浴室カウンターの後スカートを浴室側壁パネルに押圧するので、換言すれば押圧部材のみならず支持部材の押圧部も、剛性の小さな浴室側壁パネルを剛性の大きな浴室カウンターの後スカートに引き寄せるので、押圧部材のみが浴室側壁パネルを浴室カウンターの後スカートに引き寄せていた従来の浴室カウンター取り付け構造に比べて、浴室カウンター天板と浴室側壁パネルとの間の隙間の発生が抑制される。
本発明に係る浴室カウンター取り付け構造においては、従来は単に浴室カウンターを支持しているにすぎなかった支持部材に、浴室カウンターの後スカートを浴室側壁パネルに押圧する機能を付加したので、従来に比べて部品数の増加や施工性の悪化を招くことなく、従来に比べて浴室カウンターの天板と浴室側壁パネルとの間の隙間の発生を抑制することができる。
【０００５】
本発明の好ましい態様においては、支持部材は、浴室カウンターの天板下面に当接固定可能な天板載置部と後スカートの前面に当接可能な板バネ部と板バネ部の下方で浴室側壁パネルに当接固定可能な固定部とを有し、固定部を浴室側壁パネルに当接固定した状態で板バネ部が浴室カウンターの後スカートの前面に当接して後スカートを浴室側壁パネルに押圧する。
上記構成の支持部材を使用すれば、支持部材の取り付け位置で、浴室側壁パネルを浴室カウンターの後スカートに引き寄せることができる。
【０００６】
本発明の好ましい態様においては、板バネ部は、天板載置部よりも下方に且つ上下方向に見て天板載置部の近傍に配設されている。
上記構成によれば、浴室側壁パネルのカウンター後スカートを引き寄せられる部位の高さ位置が浴室カウンターの天板の高さ位置に接近するので、浴室カウンターの天板と浴室側壁パネルとの間の隙間の発生を効果的に抑制できる。
【０００７】
本発明においては、矩形の天板と天板の後縁から垂下する後スカートとを有する浴室カウンターの浴室側壁パネルへの取り付けに使用する浴室カウンター支持部材であって、浴室カウンターの天板下面に当接固定可能な天板載置部と後スカートの前面に当接可能な板バネ部と板バネ部の下方で浴室側壁パネルに当接固定可能な固定部とを有し、固定部を浴室側壁パネルに当接固定した状態で板バネ部が浴室カウンターの後スカートの前面に当接して後スカートを浴室側壁パネルに押圧することを特徴とする浴室カウンター支持部材を提供する。
従来の浴室カウンター支持部材に代えて本発明に係る浴室カウンター支持部材を使用して浴室カウンターを浴室側壁パネルに取り付けることにより、浴室カウンターの天板と浴室側壁パネルとの間の隙間の発生を抑制することができる。
【発明の効果】
【０００８】
本発明に係る浴室カウンター取り付け構造においては、押圧部材のみならず支持部材の押圧部も、浴室カウンターの後スカートを浴室側壁パネルに押圧するので、換言すれば押圧部材のみならず支持部材の押圧部も、剛性の小さな浴室側壁パネルを剛性の大きな浴室カウンターの後スカートに引き寄せるので、押圧部材のみが浴室側壁パネルを浴室カウンターの後スカートに引き寄せていた従来の浴室カウンター取り付け構造に比べて、浴室カウンター天板と浴室側壁パネルとの間の隙間の発生が抑制される。
従来の浴室カウンター支持部材に代えて本発明に係る浴室カウンター支持部材を使用して浴室カウンターを浴室側壁パネルに取り付けることにより、浴室カウンターの天板と浴室側壁パネルとの間の隙間の発生を抑制することができる。
【発明を実施するための最良の形態】
【０００９】
図１、２に示すように、浴室カウンター１は、平面視長方形の天板１１と天板１１の前縁から垂下する前スカート１２と天板１１の後縁から垂下する後スカート１３とを有している。
浴室カウンター支持部材２は、主板２１と、主板２１の上端部を面外に折り曲げて形成した浴室カウンター天板１１下面に当接固定可能な天板載置部２２と、天板載置部２２の後端部を下方へ山形に折り曲げて形成した浴室カウンター後スカート１３の前面に当接可能な板バネ部２３と、主板２１の下部後端部を面外に折り曲げて形成した浴室側壁パネル３に当接固定可能な固定部２４とを有している。板バネ部２３は固定部２４よりも前方に位置決めされている。板バネ部２３は天板載置部２２よりも下方に且つ上下方向にみて天板載置部２２に接近して配設されている。浴室側壁パネル３の幅方向に互いに間隔を隔てて２個の浴室カウンター支持部材２が配設されている。
上端部の溝幅が下端部の溝幅よりも狭い溝型断面のバネ座金４が３個配設されている。
【００１０】
浴室カウンター１の浴室側壁パネル３への取り付け作業を以下に説明する。
バネ座金４を、浴室側壁パネル３の両側端部と幅方向の中央部とに螺子固定する。
互いに隣接する２個のバネ座金４の間に、それぞれ１個の浴室カウンター支持部材２を配設し、固定部２４を浴室側壁パネル３に当接させて螺子固定する。
浴室カウンター１の後スカート１３の両端部と中央部とを、バネ座金４の溝部に当該溝部を押し広げつつ上方から挿入し、また後スカート１３の両端部と中央部との間の部位を、浴室カウンター支持部材２の板バネ部２３と浴室側壁パネル３との間の隙間に、板バネ部２３を弾性変形させて前記隙間を押し広げつつ、上方から挿入して、天板１１を天板載置部２２に載置する。浴室カウンター１の後スカート１３の両端部と中央部とにはバネ座金４を浴室側壁パネル３に固定する螺子との干渉を防止するための切欠きが形成されているので、浴室カウンター１の後スカート１３の両端部と中央部とをバネ座金４の溝部に支障無く挿入することができる。
【００１１】
浴室カウンター支持部材２の天板載置部２２が浴室カウンター１の天板１１を下方から支持すると共に、支持部材２の板バネ部２３が浴室カウンターの後スカート１３を浴室側壁パネル３に押圧する。換言すれば支持部材２の板バネ部２３が、固定部２４を介して剛性の小さな浴室側壁パネル３を剛性の大きな浴室カウンターの後スカートに引き寄せる。
浴室カウンター設置高さの調整が必要な場合には、天板載置部２２と天板１１との間に高さ調整ライナー５を挿入する。
浴室カウンター支持部材２の天板載置部２２を下方から浴室カウンターの天板１１に螺子固定して、浴室カウンター１を浴室カウンター支持部材２に固定する。
浴室カウンター支持部材２を使用者の視線から遮断して浴室カウンター１の美感を高めるために、浴室カウンターカバー６を浴室カウンター支持部材２の主板２１に下方から当接させ、主板２１に螺子固定する。
上記作業により、図３に示す浴室カウンター取り付け構造が得られる。
【００１２】
上記作業により得られた浴室カウンター１の浴室側壁パネル３への取り付け構造によれば、バネ座金４のみならず浴室カウンター支持部材２の板バネ部２３も、浴室カウンター１の後スカート１３を浴室側壁パネル３に押圧するので、換言すればバネ座金４のみならず浴室カウンター支持部材２の板バネ部２３も、浴室側壁パネル３を浴室カウンターの後スカート１３に引き寄せるので、浴室側壁パネル３の中央部が室外側へ変形している場合でも、バネ座金４のみが浴室側壁パネル３を浴室カウンター１の後スカート１３に引き寄せていた従来の浴室カウンター取り付け構造に比べて、浴室カウンター１の天板１１と浴室側壁パネル３との間の隙間の発生が抑制される。
浴室カウンター支持部材２に代えて従来の支持部材を使用すると、バネ座金４の取り付け位置においてのみ浴室カウンター１の天板１１と浴室側壁パネル３との間の隙間の発生が抑制され、従来の支持部材の取り付け位置では浴室カウンター１の天板１１と浴室側壁パネル３との間の隙間の発生は抑制されないので、浴室側壁パネル３の中央部が室外側へ変形している場合、従来の支持部材の取り付け位置及びその近傍位置で浴室カウンター１の天板１１と浴室側壁パネル３との間に隙間が発生するおそれを生ずる。
【００１３】
上記作業により得られた浴室カウンター１の浴室側壁パネル３への取り付け構造においては、従来は単に浴室カウンターを支持しているにすぎなかった浴室カウンター支持部材に、浴室カウンターの後スカート１３を浴室側壁パネル３に押圧する機能を付加したので、従来に比べて部品数の増加や施工性の悪化を招くこと無く、従来に比べて浴室カウンターの天板１１と浴室側壁パネル３との間の隙間の発生を抑制することができる。
【００１４】
浴室カウンター支持部材２の板バネ部２３は天板載置部２２よりも下方に配設されているので、浴室カウンター１の天板１１が天板載置部２２に載置されるのを妨げない。浴室カウンター支持部材２の板バネ部２３は上下方向にみて天板載置部２２に接近して配設されているので、浴室側壁パネル３の浴室カウンター後スカート１３に引き寄せられる部位の高さ位置が浴室カウンター天板１１の高さ位置に接近する。従って、浴室カウンター１の天板１１と浴室側壁パネル３との間の隙間の発生を効果的に抑制できる。
【００１５】
板バネ部２３の断面形状は山形に限定されない。バネ座金４に代えて樹脂成形品の押圧部材を使用しても良い。
【図面の簡単な説明】
【００１６】
【図１】本発明の実施例に係る浴室カウンター取り付け構造を示す、浴室カウンターと浴室カウンター支持部材と浴室カウンターカバーとバネ座金の斜め上方から見た分解斜視図である。
【図２】本発明の実施例に係る浴室カウンター取り付け構造を示す、浴室カウンターと浴室カウンター支持部材と浴室カウンターカバーとバネ座金の斜め下方から見た分解斜視図である。
【図３】本発明の実施例に係る浴室カウンター取り付け構造の断面図である。
【符号の説明】
【００１７】
１  浴室カウンター
２  浴室カウンター支持部材
３  浴室側壁パネル
４  バネ座金
５  高さ調整ライナー
６  浴室カウンターカバー
１１  天板
１２  前スカート
１３  後スカート
２１  主板
２２  天板載置部
２３  板バネ部
２４  固定部
【図１】
2009061218.tif 000003
【図２】
2009061218.tif 000004
【図３】
2009061218.tif 000005